(57)【要約】【課題】本発明は対話型楽曲試聴方法、装置、端末及び記憶媒体を提供する。【解決手段】前記方法は、試聴要求情報に基づいて、前記試聴要求情報に対応する複数の試聴楽曲選択肢を含む試聴問合せ情報を生成することと、前記試聴問合せ情報に基づいて試聴問合せ音声を生成して再生することと、前記試聴問合せ音声に対応する楽曲選択情報を取得することと、前記楽曲選択情報に基づいて、試聴が完了するまで試聴楽曲を再生することとを含む。本発明によれば、ユーザーとスマートデバイスとの対話体験を向上させるだけでなく、ユーザーの興味に対する発掘の正確性をも向上させることができる。【選択図】図１
2020184297.tif 000002
【特許請求の範囲】
【請求項１】
試聴要求情報に基づいて、前記試聴要求情報に対応する複数の試聴楽曲選択肢を含む試聴問合せ情報を生成することと、
前記試聴問合せ情報に基づいて試聴問合せ音声を生成して再生することと、
前記試聴問合せ音声に対応する楽曲選択情報を取得することと、
前記楽曲選択情報に基づいて、試聴が完了するまで試聴楽曲を再生することとを含む、
ことを特徴とする対話型楽曲試聴方法。
【請求項２】
試聴要求情報に基づいて対応する試聴問合せ情報を生成することは、
前記試聴要求情報を取得することと、
予め設定された推薦計画に基づいて、前記試聴要求情報に対応する複数の試聴楽曲選択肢を選別することと、
複数の前記試聴楽曲選択肢に基づいて前記試聴問合せ情報を生成することとを含む、
ことを特徴とする請求項１に記載の対話型楽曲試聴方法。
【請求項３】
前記試聴楽曲選択肢は、複数の試聴楽曲リストを含み、
前記楽曲選択情報に基づいて試聴楽曲を再生することは、
前記楽曲選択情報に対応する試聴楽曲選択肢を抽出することと、
抽出された試聴楽曲選択肢に基づいて、対応する複数の試聴楽曲リストを検索することと、
検索された複数の試聴楽曲リストから少なくとも１つの楽曲を試聴楽曲として選別して再生することとを含む、
ことを特徴とする請求項１に記載の対話型楽曲試聴方法。
【請求項４】
前記楽曲選択情報に基づいて試聴楽曲を再生した後、
前記試聴楽曲に関する試聴フィードバック情報を取得することと、
試聴楽曲に満足すると前記試聴フィードバック情報が示す場合、再生を継続することと、
試聴楽曲に満足しないと前記試聴フィードバック情報が示す場合、前記試聴問合せ音声を再生成することとをさらに含む、
ことを特徴とする請求項１に記載の対話型楽曲試聴方法。
【請求項５】
試聴要求情報に基づいて、前記試聴要求情報に対応する複数の試聴楽曲選択肢を含む試聴問合せ情報を生成する試聴問合せ情報生成モジュールと、
前記試聴問合せ情報に基づいて試聴問合せ音声を生成して再生する試聴問合せ音声再生モジュールと、
前記試聴問合せ音声に対応する楽曲選択情報を取得する楽曲選択情報取得モジュールと、
前記楽曲選択情報に基づいて、試聴が完了するまで試聴楽曲を再生する試聴楽曲再生モジュールとを含む、
ことを特徴とする対話型楽曲試聴装置。
【請求項６】
前記試聴問合せ情報生成モジュールは、
前記試聴要求情報を取得する試聴要求情報取得ユニットと、
予め設定された推薦計画に基づいて、前記試聴要求情報に対応する複数の試聴楽曲選択肢を選別する試聴楽曲選択肢選別ユニットと、
複数の前記試聴楽曲選択肢に基づいて前記試聴問合せ情報を生成する試聴問合せ情報生成ユニットとを含む、
ことを特徴とする請求項５に記載の対話型楽曲試聴装置。
【請求項７】
前記試聴楽曲選択肢は、複数の試聴楽曲リストを含み、
前記試聴楽曲再生モジュールは、
前記楽曲選択情報に対応する試聴楽曲選択肢を抽出する試聴楽曲選択肢選別ユニットと、
抽出された試聴楽曲選択肢に基づいて、対応する複数の試聴楽曲リストを検索する試聴楽曲リスト検索ユニットと、
検索された複数の試聴楽曲リストから少なくとも１つの楽曲を試聴楽曲として選別して再生する試聴楽曲再生ユニットとを含む、
ことを特徴とする請求項５に記載の対話型楽曲試聴装置。
【請求項８】
前記試聴楽曲に関する試聴フィードバック情報を取得し、試聴楽曲に満足すると前記試聴フィードバック情報が示す場合、再生を継続し、試聴楽曲に満足しないと前記試聴フィードバック情報が示す場合、前記試聴問合せ音声を再生成する試聴楽曲フィードバックモジュールをさらに含む、
ことを特徴とする請求項５に記載の対話型楽曲試聴装置。
【請求項９】
１つ又は複数のプロセッサと、
１つ又は複数のプログラムを記憶する記憶装置とを含み、
前記１つ又は複数のプロセッサは、前記１つ又は複数のプログラムを実行する場合、請求項１〜４のいずれか１項に記載の対話型楽曲試聴方法を実現させる、
ことを特徴とする対話型楽曲試聴端末。
【請求項１０】
コンピュータプログラムが記憶されているコンピュータ可読記憶媒体であって、
当該コンピュータプログラムがプロセッサにより実行される場合、請求項１〜４のいずれか１項に記載の対話型楽曲試聴方法を実行させる、
ことを特徴とするコンピュータ可読記憶媒体。
【発明の詳細な説明】
【技術分野】
【０００１】
本発明はスマートデバイス技術分野に関し、特に、対話型楽曲試聴方法、装置、端末及び記憶媒体に関する。
【背景技術】
【０００２】
現在、ユーザーは通常、スマートデバイスに対して楽曲を試聴したいという要求がある。しかし、スマートデバイスは、ユーザーとの対話が多くないため、試聴がユーザーの要求を満足できないことが多い。例えば、スマート再生デバイスに「映画の主題歌を試聴したい」という指示を出した場合、スマート再生デバイスは、ユーザーの要求に応じて複数の試聴楽曲を推薦することができない一方、試聴楽曲に対するユーザーのフィードバックを受けることもできないため、この試聴は単調かつ退屈なものとなる。
【発明の概要】
【発明が解決しようとする課題】
【０００３】
本発明は、少なくとも従来技術における上記の１つ以上の課題を解決するため、対話型楽曲試聴方法、装置及び端末を提供する。
【課題を解決するための手段】
【０００４】
本発明の第１態様は、対話型楽曲試聴方法を提供し、
試聴要求情報に基づいて、前記試聴要求情報に対応する複数の試聴楽曲選択肢を含む試聴問合せ情報を生成することと、
前記試聴問合せ情報に基づいて試聴問合せ音声を生成して再生することと、
前記試聴問合せ音声に対応する楽曲選択情報を取得することと、
前記楽曲選択情報に基づいて、試聴が完了するまで試聴楽曲を再生することとを含む。
【０００５】
１つの実施形態において、試聴要求情報に基づいて対応する試聴問合せ情報を生成することは、
前記試聴要求情報を取得することと、
予め設定された推薦計画に基づいて、前記試聴要求情報に対応する複数の試聴楽曲選択肢を選別することと、
複数の前記試聴楽曲選択肢に基づいて前記試聴問合せ情報を生成することとを含む。
【０００６】
１つの実施形態において、前記試聴楽曲選択肢は複数の試聴楽曲リストを含み、前記楽曲選択情報に基づいて試聴楽曲を再生することは、
前記楽曲選択情報に対応する試聴楽曲選択肢を抽出することと、
抽出された試聴楽曲選択肢に基づいて対応する複数の試聴楽曲リストを検索することと、
検索された複数の試聴楽曲リストから少なくとも１つの楽曲を試聴楽曲として選定して再生することとを含む。
【０００７】
１つの実施形態において、前記楽曲選択情報に基づいて試聴楽曲を再生した後、
前記試聴楽曲に関する試聴フィードバック情報を取得することと、
試聴楽曲に満足であると前記試聴フィードバック情報が示す場合、再生を継続することと、
試聴楽曲に満足ではないと前記試聴フィードバック情報が示す場合、前記試聴問合せ音声を再生成することとをさらに含む。
【０００８】
本発明の第２態様は、対話型楽曲試聴装置を提供し、
試聴要求情報に基づいて前記試聴要求情報に対応する複数の試聴楽曲選択肢を含む試聴問合せ情報を生成するように構成される試聴問合せ情報生成モジュールと、
前記試聴問合せ情報に基づいて、試聴問合せ音声を生成して再生するように構成される試聴問合せ音声再生モジュールと、
前記試聴問合せ音声に対応する楽曲選択情報を取得するように構成される楽曲選択情報取得モジュールと、
前記楽曲選択情報に基づいて、試聴が完了するまで試聴楽曲を再生するように構成される試聴楽曲再生モジュールとを含む。
【０００９】
１つの実施形態において、前記試聴問合せ情報生成モジュールは、
前記試聴要求情報を取得するように構成される試聴要求情報取得ユニットと、
予め設定された推薦計画に基づいて、前記試聴要求情報に対応する複数の試聴楽曲選択肢を選別するように構成される試聴楽曲選択肢選別ユニットと、
複数の前記試聴楽曲選択肢に基づいて前記試聴問合せ情報を生成するように構成される試聴問合せ情報生成ユニットと、を含む。
【００１０】
１つの実施形態において、前記試聴楽曲選択肢は複数の試聴楽曲リストを含み、前記試聴楽曲再生モジュールは、
前記楽曲選択情報に対応する試聴楽曲選択肢を抽出するように構成される試聴楽曲選択肢選別ユニットと、
抽出された試聴楽曲選択肢に基づいて対応する複数の試聴楽曲リストを検索するように構成される試聴楽曲リスト検索ユニットと、
検索された複数の試聴楽曲リストから少なくとも１つの楽曲を試聴楽曲として選別して再生するように構成される試聴楽曲再生ユニットと、を含む。
【００１１】
１つの実施形態において、前記試聴楽曲に関する試聴フィードバック情報を取得し、試聴楽曲に満足であると前記試聴フィードバック情報が示す場合、再生を継続し、試聴楽曲に満足ではないと前記試聴フィードバック情報が示す場合、前記試聴問合せ音声を再生成するように構成される試聴楽曲フィードバックモジュールをさらに含む。
【００１２】
これらの機能は、ハードウェアにより実現してもよいし、ハードウェアが対応するソフトウェアを実行することにより実現してもよい。ハードウェア又はソフトウェアは、上述の機能に対応する１つ又は複数のモジュールを含む。
【００１３】
１つの可能な実施形態において、対話型楽曲試聴装置は、上記第１態様に記載の対話型楽曲試聴方法を実行するためのプログラムを記憶したメモリと、前記メモリに記憶されたプログラムを実行するためのプロセッサとを備えて構成される。また、対話型楽曲試聴装置は、他の装置や通信ネットワークと通信するための通信インターフェースをさらに備えるようにしてもよい。
【００１４】
本発明の第３態様は、対話型楽曲試聴装置に用いられるコンピュータソフトウェア命令を記憶したコンピュータ可読記録媒体であって、上述した本発明の第１態様における対話型楽曲試聴方法を対話型楽曲試聴装置に実行させるためのプログラムを記憶したコンピュータ可読記録媒体を提供する。
【００１５】
上記の実施形態によれば、ユーザーとスマート再生デバイスとの音声対話により、楽曲に対するユーザーの興味について引き続き掘り下げ、掘り下げる過程により試聴における楽曲に対するユーザーの興味をより正確に捉えることができる。これにより、ユーザーとスマートデバイスとの対話体験を向上させるだけでなく、ユーザーの興味に対する発掘の正確性をも向上させるという特徴又は利点が得られる。
【００１６】
上記の略述は、単に説明のために過ぎず、いかなる限定をも目的としない。上記に記載されている例示的な様態、実施形態、及び特徴以外に、図面及び下記の詳細説明を参照することによって、本発明のさらなる態様、実施形態、及び特徴の理解を促す。
【図面の簡単な説明】
【００１７】
【図１】本発明の実施形態における対話型楽曲試聴方法のフローチャートである。
【図２】本発明の実施形態における他の対話型楽曲試聴方法のフローチャートである。
【図３】本発明の実施形態における他の対話型楽曲試聴方法のフローチャートである。
【図４】本発明の実施形態における対話型楽曲試聴装置の構成ブロック図である。
【図５】本発明の実施形態における他の対話型楽曲試聴装置の構成ブロック図である。
【図６】本発明の実施形態における他の対話型楽曲試聴装置の構成ブロック図である。
【図７】本発明の実施形態における対話型楽曲試聴端末の構成図である。
【発明を実施するための形態】
【００１８】
図面において特に規定されない限り、複数の図面において同様の図面符号は、同様又は類似的な部材又はエレメントを示す。これらの図面は必ずしも実際の比例に従って製図されたものではない。これらの図面は本発明に基づいて開示された幾つかの実施形態を描いたものに過ぎず、本発明の範囲に対する制限としてはならないことを理解すべきである。
【００１９】
下記において、幾つかの例示的実施形態を簡単に説明する。当業者が把握出来るよう、本発明の主旨又は範囲を逸脱しない限り、様々な方式により説明された実施形態に変更可能である。従って、図面と説明は制限を加えるものでなく、本質的には例示的なものである。
実施形態一
【００２０】
１つの実施形態において、図１に示すように、対話型楽曲試聴方法を提供し、下記のステップＳ１０〜ステップＳ４０を含む
ステップＳ１０において、試聴要求情報に基づいて試聴問合せ情報を生成し、当該試聴問合せ情報は、試聴要求情報に対応する複数の試聴楽曲選択肢を含む。
ステップＳ２０において、試聴問合せ情報に基づいて試聴問合せ音声を生成して再生する。
ステップＳ３０において、試聴問合せ音声に対応する楽曲選択情報を取得する。
ステップＳ４０において、楽曲選択情報に基づいて、試聴が完了するまで試聴楽曲を再生する。
【００２１】
一例として、本実施形態に係る対話型楽曲試聴方法は、スマート・サウンドボックス、スマート・ウォッチ、スマート・オンボード・プレーヤ、携帯電話、ＩＰＡＤなどのスマート再生デバイスに適用されてもよい。スマート再生デバイスは、ユーザーからの「小度さん、小度さん」などのウェイクアップ音声を受信すると、ウェイクアップされる。スマートプ再生デバイスは、ウェイクアップされた後、ユーザーからのリクエスト要求音声を受信し、そして、リクエスト要求音声に対応するリクエスト問合せ音声を再生し、さらに、ユーザーからのリクエスト問合せ音声に対応するリクエスト選択音声を取得する。このとき、試聴モードに入る。スマート再生デバイスは、受信したリクエスト要求音声とリクエスト選択音声をサーバに送信し、サーバは、解析を行って試聴要求情報を得る。
【００２２】
例えば、ユーザーが「楽しい楽曲を聴きたい」というリクエスト要求音声を発声した場合、スマート再生デバイスはリクエスト要求音声に対応して「中国語、英語、韓国語があります。どれを聴きたいですか？」というリクエスト問い合わせ音声を再生し、すなわち、楽しい中国語楽曲、楽しい英語楽曲、楽しい韓国語楽曲のどれを聴きたいかを問う。ユーザーが、「中国語のを聞きたい」というリクエスト選択音声をフィードバックした場合、試聴モードに入る。スマート再生デバイスは受信した「楽しい楽曲を聴きたい」というリクエスト要求音声及び「中国語のを聴きたい」というリクエスト選択音声をサーバに送信し、サーバは「楽しい楽曲を聴きたい」というリクエスト要求音声及び「中国語のを聴きたい」というリクエスト選択音声を解析し、ユーザーが楽しい中国語楽曲を聴きたいという試聴要求情報を得る。
【００２３】
サーバには、試聴要求情報に基づいて複数の試聴楽曲選択肢に対応する試聴問合せ情報が生成される。試聴要求情報は、複数の試聴楽曲選択肢に対応して予め設定されてサーバに記憶されていてもよい。例えば、ユーザーが楽しい中国語楽曲を聴きたいという試聴要求情報である場合、対応する複数の試聴楽曲選択肢は、楽しい中国語の標準語楽曲、楽しい中国語の広東話楽曲などを含んでもよい。次に、サーバは、試聴問合せ情報をスマート再生デバイスに送信し、スマート再生デバイスは、試聴問合せ情報に基づいて試聴問合せ音声を生成して再生する。例えば、試聴問合せ音声は、「中国語の標準語または広東話、どちらの楽曲を聞きたいか」という音声であってもよい。
【００２４】
スマート再生デバイスは、試聴問合せ音声を再生した後、ユーザーが当該試聴問合せ音声の選択肢に対して選択された楽曲を回答した場合、試聴問合せ音声に対応する楽曲選択音声を受信する。スマート再生デバイスは、楽曲選択音声をサーバに送信し、サーバは、楽曲選択音声から楽曲選択情報を解析して楽曲再生デバイスに送信する。例えば、スマート楽曲デバイスが受信する楽曲選択音声は「中国語の標準語楽曲を選択する」であり、サーバが解析した楽曲選択情報は、中国語の標準語楽曲を選択することを含む。
最後に、スマート再生デバイスは、サーバに解析された楽曲選択情報を受信した後、楽曲選択情報に対応する試聴楽曲を再生する。楽曲選択情報が解析された後、スマート再生デバイスは、試聴楽曲を再生する時、試聴楽曲から大衆の熟知しているサビの部分を切り出して再生してもよい。例えば、周傑倫さんの「双節ローラー」のサビの部分が再生されてもよい。
【００２５】
１回目の楽曲の試聴が完了した後、ユーザーは、試聴した楽曲をフィードバックすることができる。スマート再生デバイスは、ユーザーの興味を確定するため、試聴された楽曲に対するユーザーのフィードバックを記録することができる。１回の試聴のみでユーザーの興味がわからない場合、スマート再生装置は、ユーザーが試聴に満足するまで複数回の試聴を行うことができる。スマート再生装置は、満足であるというユーザーのフィードバックを受けた後、試聴を終了して再生リストに沿って再生することができる。ユーザーとスマート再生デバイスの音声対話により、楽曲に対するユーザーの興味について引き続き掘り下げ、掘り下げる過程により試聴における楽曲に対するユーザーの興味をより正確に捉えることができる。これにより、ユーザーとスマートデバイスの対話体験を向上させるだけでなく、ユーザーの興味に対する発掘の正確性をも向上させることができる。
【００２６】
１つの実施形態において、図２に示すように、ステップＳ１０は、下記のステップＳ１０１〜ステップＳ１０３を含む
ステップＳ１０１において、試聴要求情報を取得する。
ステップＳ１０２において、予め設定された推薦計画に基づいて、試聴要求情報に対応する複数の試聴楽曲選択肢を選別する。
ステップＳ１０３において、複数の試聴楽曲選択肢に基づいて試聴問合せ情報を生成する。
【００２７】
一例として、試聴要求情報は、スマート再生デバイスがユーザの一般要求をある程度発掘した後に取得されるものである。予め設定された推薦計画は、予め設定された試聴要求情報と試聴楽曲選択肢の対応関係であってもよいし、ユーザによる試聴楽曲の選択を続けて記録することで試聴要求情報と試聴楽曲選択肢の対応関係を統計してもよい。予め設定された推薦計画は、サーバに記憶させてもよい。同一の試聴要求情報は、複数種の試聴楽曲選択肢に対応することができる。例えば、試聴要求情報が、穏やかなクラシック楽曲を再生するものである場合、対応する試聴楽曲選択肢は、シューベルトクラシック楽曲、ベートーヴェンクラシック楽曲、バッハクラシック楽曲などのような、作曲家により分類された楽曲選択肢であってもよく、チェロクラシック楽曲、バイオリンクラシック楽曲、古琴クラシック楽曲などのような、演奏器により分類された楽曲選択肢であってもよい。スマート再生デバイスは、「作曲家により分類された楽曲を聴きたいですか、演奏器により分類された楽曲を聴きたいですか？」という試聴問合せ音声を再生する。
【００２８】
１つの実施形態において、図２に示すように、試聴楽曲選択肢は複数の試聴楽曲リストを含み、ステップＳ４０は、下記のステップＳ４０１〜ステップＳ４０３を含む。
ステップＳ４０１において、楽曲選択情報に対応する試聴楽曲選択肢を抽出する。
ステップＳ４０２において、抽出された試聴楽曲選択肢に基づいて対応する複数の試聴楽曲リストを検索する。
ステップＳ４０３において、検索された複数の試聴楽曲リストから少なくとも１つの楽曲を試聴楽曲として選別して再生する。
【００２９】
一例として、サーバでは、楽曲選択情報が作曲家により分類された楽曲選択肢である場合、作曲家により分類された楽曲選択肢を抽出し、作曲家により分類された楽曲選択肢に含まれる複数の試聴楽曲リストを検索する。作曲家により分類された楽曲選択肢として、シューベルトクラシック楽曲リスト、ベートーヴェンクラシック楽曲リスト、バッハクラシック楽曲リストなどを含む。例えば、バッハクラシック楽曲リストの最初の楽曲を試聴楽曲として選択するよう、ランダムに選択した楽曲を最初の試聴楽曲として再生することができる。また、例えば、楽曲選択情報が、演奏器により分類された楽曲選択肢である場合、演奏器により分類された楽曲選択肢を抽出し、演奏器により分類された楽曲選択肢に含まれる複数の試聴楽曲リストを検索する。演奏器により分類された楽曲選択肢は、チェロクラシック楽曲リスト、バイオリンクラシック楽曲リスト、古琴クラシック楽曲リストを含む。ユーザーの習慣に応じて、チェロクラシック楽曲リストにおける馬友友の作品を試聴楽曲として選択することもできる。
【００３０】
１つの実施形態において、図３に示すように、ステップＳ４０の後、下記のステップＳ５０〜Ｓ７０をさらに含む。
ステップＳ５０において、試聴楽曲に関する試聴フィードバック情報を取得する。
ステップＳ６０において、試聴楽曲に満足であると試聴フィードバック情報が示す場合、再生を継続する。
ステップＳ７０において、試聴楽曲に満足ではないと試聴フィードバック情報が示す場合、試聴問合せ音声を再生成する。
【００３１】
一例として、一回目の試聴において、スマート再生デバイスは、楽曲を再生した後、フィードバック問合せ音声を再生する。例えば、「このシューベルトクラシック楽曲という楽曲リストはいかがですか？」である。試聴楽曲に対するユーザーの試聴フィードバックは、２種類ある。１つはスマート再生装置が「好みである」というフィードバック音声を受信し、この試聴楽曲に対し満足である試聴フィードバック情報を得、現在の試聴楽曲の再生を継続する。もう１つは、スマート再生デバイスが、「好みでない」というフィードバック音声を受信し、試聴楽曲に対し満足ではないという試聴フィードバック情報を得、試聴問合せ音声を再生成して、２回目の試聴を開始するようにしてもよい。例えば、「それでは、ベートーヴェンクラシック楽曲に切り替えてもよろしいでしょうか？好みでなければ、私に「楽曲リストを変えて」と言ってください」と再生し、試聴終了までユーザーの選択を続けて受ける。  
実施形態二
【００３２】
他の実現形態において、図４に示すように、対話型楽曲試聴装置を提供し、試聴問合せ情報生成モジュール１０、試聴問合せ音声再生モジュール２０、楽曲選択情報取得モジュール３０及び試聴楽曲再生モジュール４０を含む。
試聴問合せ情報生成モジュール１０は、試聴要求情報に基づいて試聴問合せ情報を生成するように構成され、前記試聴問合せ情報は、前記試聴要求情報に対応する複数の試聴楽曲選択肢を含む。
試聴問合せ音声再生モジュール２０は、前記試聴問合せ情報に基づいて試聴問合せ音声を生成して再生するように構成される。
楽曲選択情報取得モジュール３０は、前記試聴問合せ音声に対応する楽曲選択情報を取得するように構成される。
試聴楽曲再生モジュール４０は、前記楽曲選択情報に基づいて、試聴が完了するまで試聴楽曲を再生するように構成される。
【００３３】
１つの実施形態において、図５に示すように、前記試聴問合せ情報生成モジュール１０は、試聴要求情報取得ユニット１０１、試聴楽曲選択肢選別ユニット１０２及び試聴問合せ情報生成ユニット１０３を含む。
試聴要求情報取得ユニット１０１は、前記試聴要求情報を取得するように構成される。
試聴楽曲選択肢選別ユニット１０２は、予め設定された推薦計画に基づいて、前記試聴要求情報に対応する複数の試聴楽曲選択肢を選別するように構成される。
試聴問合せ情報生成ユニット１０３は、複数の前記試聴楽曲選択肢に基づいて前記試聴問合せ情報を生成するように構成される。
【００３４】
１つの実施形態において、図５に示すように、前記試聴楽曲選択肢は複数の試聴楽曲リストを含み、前記試聴楽曲再生モジュール４０は、試聴楽曲選択肢選別ユニット４０１、試聴楽曲リスト検索ユニット４０２及び試聴楽曲再生ユニット４０３を含む。
試聴楽曲選択肢選別ユニット４０１は、前記楽曲選択情報に対応する試聴楽曲選択肢を抽出するように構成される。
試聴楽曲リスト検索ユニット４０２は、抽出された試聴楽曲選択肢に基づいて対応する複数の試聴楽曲リストを検索するように構成される。
試聴楽曲再生ユニット４０３は、検索された複数の試聴楽曲リストから少なくとも１つの楽曲を試聴楽曲として選別して再生するように構成される。
【００３５】
１つの実施形態において、図６に示すように、試聴楽曲フィードバックモジュール５０をさらに含み、試聴楽曲フィードバックモジュール５０は、前記試聴楽曲に関する試聴フィードバック情報を取得し、試聴楽曲に満足であると前記試聴フィードバック情報が示す場合、再生を継続し、試聴楽曲に満足ではないと前記試聴フィードバック情報が示す場合、前記試聴問合せ音声を再生成することと、を含む。
【００３６】
本発明の実施形態において、各装置の各モジュールの機能は、上記の方法に対応する説明を参照することができるため、ここではその説明を省略する。
実施形態三
【００３７】
図７は、本発明の実施形態における対話型楽曲試聴端末の構成を示すブロック図である。図７に示すように、この端末は、メモリ９１０と、プロセッサ９２０とを備え、メモリ９１０には、プロセッサ９２０上で実行可能なコンピュータプログラムが記憶されている。プロセッサ９２０がコンピュータプログラムを実行することにより、上述した実施形態における対話型楽曲試聴方法が実現される。メモリ９１０及びプロセッサ９２０の数は１つ又は複数であってもよい。
当該端末は、通信インターフェース９３０を含み、
通信インターフェース９３０は、外部機器と通信を行い、データのやりとりを行うためのインターフェースである。
【００３８】
メモリ９１０は、高速度ＲＡＭメモリを含んでもよく、少なくとも１つのディスクメモリなどの不揮発性メモリ（  ｎｏｎ−ｖｏｌａｔｉｌｅ  ｍｅｍｏｒｙ  ）をさらに含んでもよい。
メモリ９１０、プロセッサ９２０、及び通信インターフェース９３０が独立的に実現される場合、メモリ９１０、プロセッサ９２０、及び通信インターフェース９３０は、バスによって相互接続して相互通信を行うことができる。前記バスは、インダストリスタンダードアーキテクチャ（ＩＳＡ、Ｉｎｄｕｓｔｒｙ  Ｓｔａｎｄａｒｄ  Ａｒｃｈｉｔｅｃｔｕｒｅ）バス、外部デバイス相互接続（ＰＣＩ、Ｐｅｒｉｐｈｅｒａｌ  ＣｏｍｐｏｎｅｎｔＩｎｔｅｒｃｏｎｎｅｃｔ）バス、又は拡張インダストリスタンダードアーキテクチャ（ＥＩＳＡ、Ｅｘｔｅｎｄｅｄ  Ｉｎｄｕｓｔｒｙ  Ｓｔａｎｄａｒｄ  Ｃｏｍｐｏｎｅｎｔ）バス等であってもよい。前記バスは、アドレスバス、データバス、制御バス等として分けられることが可能である。表示の便宜上、図７に１本の太線のみで表示するが、バスが１つ又は１種類のみであることを意味しない。
任意選択で、具体的な実現において、メモリ９１０、プロセッサ９２０、および通信インターフェース９３０が１つのチップに集成した場合、メモリ９１０、プロセッサ９２０、および通信インターフェース９３０は、内部インターフェースによって相互通信を行うことができる。
【００３９】
本明細書において、「１つの実施形態」、「幾つかの実施形態」、「例」、「具体例」或いは「一部の例」などの用語とは、当該実施形態或いは例で説明された具体的特徴、構成、材料或いは特点を結合して、本発明の少なくとも１つの実施形態或いは実施例に含まれることを意味する。また、説明された具体的特徴、構成、材料或いは特点は、いずれか１つ或いは複数の実施形態または例において適切に結合することが可能である。また、矛盾しない限り、当業者は、本明細書の異なる実施形態または例、および、異なる実施形態または例における特徴を結合したり、組み合わせたりすることができる。
また、用語「第１」、「第２」とは比較的重要性を示している又は暗示しているわけではなく、単に説明のためのものであり、示される技術的特徴の数を暗示するわけでもない。そのため、「第１」、「第２」で限定される特徴は、少なくとも１つの当該特徴を明示又は暗示的に含むことが可能である。本出願の記載の中において、「複数」の意味とは、明確的に限定される以外に、２つ又は２つ以上を意味する。
【００４０】
フローチャート又はその他の方式で説明された、いかなるプロセス又は方法に対する説明は、特定な論理的機能又はプロセスのステップを実現するためのコマンドのコードを実行可能な１つ又はそれ以上のモジュール、断片若しくはセグメントとして理解することが可能であり、さらに、本発明の好ましい実施形態の範囲はその他の実現を含み、示された、又は、記載の順番に従うことなく、係る機能に基づいてほぼ同時にまたは逆の順序に従って機能を実行することを含み、これは当業者が理解すべきことである。
フローチャートに示された、又はその他の方式で説明された論理及び／又はステップは、例えば、論理機能を実現させるための実行可能なコマンドのシーケンスリストとして見なされることが可能であり、コマンド実行システム、装置、又はデバイス（プロセッサのシステム、又はコマンド実行システム、装置、デバイスからコマンドを取得して実行することが可能なその他のシステムを含むコンピュータによるシステム）が使用できるように提供し、又はこれらのコマンドを組み合わせて使用するコマンド実行システム、装置、又はデバイスに使用されるために、いかなるコンピュータ読取可能媒体にも具体的に実現されることが可能である。本明細書において、「コンピュータ読取可能媒体」は、コマンド実行システム、装置、デバイス、又はこれらのコマンドを組み合わせて実行するシステム、装置又はデバイスが使用できるように提供するため、プログラムを格納、記憶、通信、伝搬又は伝送する装置であってもよい。コンピュータ読み取り可能媒体のより具体的例（非網羅的なリスト）として、１つ又は複数の布配線を含む電気接続部（電子装置）、ポータブルコンピュータディスク（磁気装置）、ランダム・アクセス・メモリ（ＲＡＭ）、リード・オンリー・メモリ（ＲＯＭ）、消去書き込み可能リード・オンリー・メモリ（ＥＰＲＯＭ又はフラッシュメモリ）、光ファイバー装置、及びポータブル読み取り専用メモリ（ＣＤＲＯＭ）を少なくとも含む。また、コンピュータ読み取り可能媒体は、そのうえで前記プログラムを印字できる紙又はその他の適切な媒体であってもよく、例えば紙又はその他の媒体に対して光学的スキャンを行い、そして編集、解釈又は必要に応じてその他の適切の方式で処理して電子的方式で前記プログラムを得、その後コンピュータメモリに記憶することができるためである。
【００４１】
なお、本発明の各部分は、ハードウェア、ソフトウェア、ファームウェア又はこれらの組み合わせによって実現されることができる。上記実施形態において、複数のステップ又は方法は、メモリに記憶された、適当なコマンド実行システムによって実行されるソフトウェア又はファームウェアによって実施されることができる。例えば、ハードウェアによって実現するとした場合、別の実施形態と同様に、データ信号に対して論理機能を実現する論理ゲート回路を有する離散論理回路、適切な混合論理ゲート回路を有する特定用途向け集積回路、プログラマブルゲートアレイ（ＧＰＡ）、フィールドプログラマブルゲートアレイ（ＦＰＧＡ）などといった本技術分野において公知である技術のうちのいずれか１つ又はそれらの組み合わせによって実現される。
【００４２】
当業者は、上記の実施形態における方法に含まれるステップの全部又は一部を実現するのは、プログラムによって対応するハードウェアを指示することによって可能であることを理解することができる。前記プログラムは、コンピュータ読取可能な媒体に記憶されてもよく、当該プログラムが実行されるとき、方法の実施形態に係るステップのうちの１つ又はそれらの組み合わせを含むことができる。
【００４３】
また、本発明の各実施形態における各機能ユニットは、１つの処理モジュールに統合されてよく、別個の物理的な個体であってもよく、２つ又は３つ以上のユニットが１つのモジュールに統合されてもよい。上記の統合モジュールは、ハードウェアで実現されてもよく、ソフトウェア機能モジュールで実現されてもよい。上記の統合モジュールが、ソフトウェア機能モジュールで実現され、しかも独立した製品として販売又は使用される場合、コンピュータ読取可能な記憶媒体に記憶されてもよい。前記記憶媒体は読取専用メモリ、磁気ディスク又は光ディスク等であってもよい。
【００４４】
上記の記載は、単なる本発明の具体的な実施形態に過ぎず、本発明の保護範囲はそれに限定されることなく、当業者が本発明に開示されている範囲内において、容易に想到し得る変形又は置換は、全て本発明の範囲内に含まれるべきである。そのため、本発明の範囲は、記載されている特許請求の範囲に準じるべきである。
【図１】
2020184297.tif 000003
【図２】
2020184297.tif 000004
【図３】
2020184297.tif 000005
【図４】
2020184297.tif 000006
【図５】
2020184297.tif 000007
【図６】
2020184297.tif 000008
【図７】
2020184297.tif 000009